(57)【要約】【課題】従来のパッシブ方式を用いた吸音構造体より薄型化することが可能な吸音構造体を提供すること。【解決手段】本技術に係る吸音構造体は、複数の糸状部と、複数の弾性部とを具備する複数の糸状部は互いに離間し、音波を受けて振動する。複数の弾性部は、弾性を有し、複数の糸状部を架橋し、複数の糸状部の振動を減衰する。【選択図】図１
2015215428.tif 000002
【特許請求の範囲】
【請求項１】
互いに離間する複数の糸状部であって、音波を受けて振動する複数の糸状部と、
弾性を有し、前記複数の糸状部を架橋し、前記複数の糸状部の振動を減衰する複数の弾性部と
を具備する吸音構造体。
【請求項２】
請求項１に記載の吸音構造体であって、
前記複数の糸状部は、それぞれが第１の方向に延伸し、前記第１の方向に直交する第２の方向に離間し、
前記複数の弾性部は、前記第２の方向において前記糸状部を架橋する
吸音構造体。
【請求項３】
請求項２に記載の吸音構造体であって、
前記複数の糸状部は、前記第２の方向に加え、前記第１の方向及び前記第２の方向に離間する第３の方向に離間し、
前記複数の弾性部は、前記第２の方向及び前記第３の方向において前記糸状部を架橋する
吸音構造体。
【請求項４】
請求項１に記載の吸音構造体であって、
前記複数の糸状部は、第１の方向に延伸する複数の第１の糸状部と、前記第１の方向に直交する第２の方向に延伸する複数の第２の糸状部とを含み、
前記複数の弾性部は、前記第１の糸状部と前記第２の糸状部を架橋する
吸音構造体。
【請求項５】
請求項４に記載の吸音構造体であって、
前記第１の糸状部と、前記第２の糸状部は編み込まれている
吸音構造体。
【請求項６】
請求項１に記載の吸音構造体であって、
前記複数の糸状部は、互いに異なる方向に延伸し、
前記複数の弾性部は、互いに異なる方向に延伸する前記複数の糸状部を架橋する
吸音構造体。
【請求項７】
請求項１に記載の吸音構造体であって、
前記複数の糸状部は、第１の層と、前記第１の層と離間した第２の層を構成し、
前記複数の弾性部は、前記第１の層と前記第２の層の間で前記糸状部を架橋し、
前記複数の糸状部と前記複数の弾性部は、異なる材料からなる
吸音構造体。
【請求項８】
請求項１に記載の吸音構造体であって、
前記複数の糸状部は、それぞれが同一の共振周波数を有する
吸音構造体。
【請求項９】
請求項８に記載の吸音構造体であって、
前記複数の糸状部は、第１の共振周波数を有する第１の糸状部と、前記第１の共振周波数とは異なる第２の共振周波数を有する第２の糸状部とを含む
吸音構造体。
【請求項１０】
請求項９に記載の吸音構造体であって、
前記第１の糸状部と前記第２の糸状部は、密度が異なる
吸音構造体。
【請求項１１】
請求項９に記載の吸音構造体であって、
前記第１の糸状部と前記第２の糸状部は、長さが異なる
吸音構造体。
【請求項１２】
請求項９に記載の吸音構造体であって、
前記第１の糸状部と前記第２の糸状部は、径が異なる
吸音構造体。
【請求項１３】
互いに離間する複数の糸状部であって、振動可能な複数の糸状部と、
前記複数の糸状部を架橋し、前記複数の糸状部の振動を減衰する複数の弾性部と
を具備する吸音構造体。
【発明の詳細な説明】
【技術分野】
【０００１】
本技術は、パッシブ方式の吸音構造体に関する。
【背景技術】
【０００２】
消音の主な方式として、逆位相の音波を発信して音波を打ち消し、消音するアクティブ方式と、吸音材や反射材等を用いて音波を減衰させ、消音するパッシブ方式とがある。パッシブ方式はアクティブ方式と違って電力を消費しない、設置の自由度が高い、コストが低い等のメリットがある。
【０００３】
例えば、特許文献１には、多孔質吸音機能を有する吸音層と、吸音層の表面側に積層されるメルトブロー繊維不織布からなる表皮層を備えたパッシブ方式の吸音材が記載されている。この吸音材は、表皮層にメルトブロー繊維を使用することで吸音材の軽量化をはかることができ、かつ、パネル等への取付け作業性を向上させることが可能である。
【先行技術文献】
【特許文献】
【０００４】
【特許文献１】特開平２００９−１８７４５号公報
【発明の概要】
【発明が解決しようとする課題】
【０００５】
しかしながら、従来のパッシブ方式を用いた吸音材では、十分な吸音効果を発生させるためには、吸音構造体の構造を大きくする必要がある。例えば複数の突起が形成され、突起間で反射する音波が打ち消しあう構造の吸音構造体では、突起の大きさが音波の波長によって決定されるため、突起のサイズを小型化することはできず、吸音構造体の厚みを減少させることが困難である。
【０００６】
以上のような事情に鑑み、本技術の目的は、従来のパッシブ方式の吸音構造体より薄型化することが可能な吸音構造体を提供することにある。
【課題を解決するための手段】
【０００７】
本発明の一実施形態に係る吸音構造体は、複数の糸状部と、複数の弾性部とを具備する。
上記複数の糸状部は互いに離間し、音波を受けて振動する。
上記複数の弾性部は、弾性を有し、上記複数の糸状部を架橋し、上記複数の糸状部の振動を減衰する。
【０００８】
この構成によれば、吸音構造体に音波が入射すると、糸状部が音波を受けて振動し、弾性部が糸状部の振動を減衰させる。音波は、糸状部を振動させることによってエネルギーを失うが、糸状部の振動は弾性部によって減衰されるために、音波は糸状部を振動させるためにエネルギーを継続的に失う。したがって、音波は減衰され、即ち吸音される。糸状部の共振周波数は糸状部の密度や径等によって調整することが可能であり、吸音対象の音波の周波数によって構造を大きくする必要がないため、薄型化が可能である。
【０００９】
上記複数の糸状部は、それぞれが第１の方向に延伸し、上記第１の方向に直交する第２の方向に離間し、上記複数の弾性部は、上記第２の方向において上記糸状部を架橋してもよい。
【００１０】
この構成によれば、糸状部に音波が入射すると、糸状部はその延伸方向に直交する方向を振幅方向として振動する。弾性部が糸状部の延伸方向に直交する方向の一つである第２の方向で糸状部を架橋することにより、糸状部の延伸方向に直交する方向を振幅方向とする振動を減衰させることが可能である。
【００１１】
上記複数の糸状部は、上記第２の方向に加え、上記第１の方向及び上記第２の方向に離間する第３の方向に離間し、上記複数の弾性部は、上記第２の方向及び上記第３の方向において上記糸状部を架橋してもよい。
【００１２】
この構成によれば、弾性部が糸状部の延伸方向に直交する方向である第２の方向と第３の方向で糸状部を架橋することにより、糸状部の延伸方向に直交する方向を振幅方向とする振動を減衰させることが可能である。第３の方向に多数の糸状部が配置されるため、第３の方向から入射する音波に対して高い吸音性を有する。
【００１３】
上記複数の糸状部は、第１の方向に延伸する複数の第１の糸状部と、上記第１の方向に直交する第２の方向に延伸する複数の第２の糸状部とを含み、上記複数の弾性部は、上記第１の糸状部と上記第２の糸状部を架橋してもよい。
【００１４】
この構成によれば、糸状部に音波が入射すると、第１の糸状部及び第２の糸状部は、それぞれの延伸方向に直交する方向を振幅方向として振動する。第１の糸状部と第２の糸状部の振幅方向が異なるため、弾性部による振動の減衰が大きくなり、吸音性を向上させることが可能である。
【００１５】
上記第１の糸状部と、上記第２の糸状部は編み込まれていてもよい。
【００１６】
この構成によれば、第１の糸状部と第２の糸状部の振動を妨げることなく、吸音構造体の強度を向上させることが可能となる。
【００１７】
上記複数の糸状部は、互いに異なる方向に延伸し、上記複数の弾性部は、互いに異なる方向に延伸する上記複数の糸状部を架橋してもよい。
【００１８】
この構成によれば、糸状部が多様な方向を振幅方向として振動する。即ち、あらゆる方向から吸音構造体に入射する音波を吸音することが可能となる。
【００１９】
上記複数の糸状部は、第１の層と、上記第１の層と離間した第２の層を構成し、上記複数の弾性部は、上記第１の層と上記第２の層の間で上記糸状部を架橋し、上記複数の糸状部と上記複数の弾性部は、異なる材料からなる。
【００２０】
この構成によれば、吸音構造体は、異種の材料からなる糸状部の層と弾性部の層が交互に積層された構造となる。このため、この吸音構造体は三次元プリンタによって容易に造形することが可能である。
【００２１】
上記複数の糸状部は、それぞれが同一の共振周波数を有していてもよい。
【００２２】
この構成によれば、糸状部の共振周波数に一致する周波数の音波が吸音構造体に入射すると、糸状部が振動し、吸音される。一方、糸状部の共振周波数と異なる周波数の音波が吸音構造体に入射しても糸状部が振動せず、吸音されない。したがって、特定の周波数の音波を特異的に吸音する吸音構造体とすることが可能である。
【００２３】
上記複数の糸状部は、第１の共振周波数を有する第１の糸状部と、上記第１の共振周波数とは異なる第２の共振周波数を有する第２の糸状部とを含んでもよい。
【００２４】
この構成によれば、第１の糸状部は、第１の共振周波数に一致する周波数を受けて振動し、第２の糸状部は、第２の共振周波数に一致する周波数を受けて振動する。即ちこの吸音構造体は少なくとも２種類の周波数の音波を吸収することが可能である。より多く共振周波数を有する糸状部を形成することにより、多様な周波数の音波を吸音できる吸音構造体とすることが可能である。
【００２５】
上記第１の糸状部と上記第２の糸状部は、密度が異なっていてもよい。
【００２６】
糸状部の密度はその共振周波数に影響する。したがって、糸状部の密度を異なるものとすることにより、共振周波数が異なる第１の糸状部と第２の糸状部を設けることが可能となる。糸状部の密度は例えば、糸状部の構成材料やその内部構造によって調整することが可能である。
【００２７】
上記第１の糸状部と上記第２の糸状部は、長さが異なっていてもよい。
【００２８】
糸状部の長さはその共振周波数に影響する。したがって、糸状部の長さを異なるものとすることにより、共振周波数が異なる第１の糸状部と第２の糸状部を設けることが可能となる。
【００２９】
上記第１の糸状部と上記第２の糸状部は、径が異なっていてもよい。
【００３０】
糸状部の径はその共振周波数に影響する。したがって、糸状部の径を異なるものとすることにより、共振周波数が異なる第１の糸状部と第２の糸状部を設けることが可能となる。
【００３１】
本発明の別の実施形態に係る吸音構造体は、複数の糸状部と、複数の弾性部とを有する
上記複数の弾性部は、互いに離間する複数の糸状部であって、振動可能である。
上記複数の弾性部は、上記複数の糸状部を架橋し、上記複数の糸状部の振動を減衰する。
【発明の効果】
【００３２】
以上のように、本技術によれば、従来のパッシブ方式を用いた吸音構造体より薄型化することが可能な吸音構造体を提供することにある。なお、ここに記載された効果は必ずしも本発明を限定するものではなく、本発明は、本開示中に記載されたいずれかの効果が達成できればよい。
【図面の簡単な説明】
【００３３】
【図１】本技術の実施形態に係る吸音構造体の平面図である。
【図２】同吸音構造体の断面図である
【図３】同吸音構造体の動作を示す模式図である。
【図４】同吸音構造体の糸状部の断面図である。
【図５】同吸音構造体の糸状部の断面図である。
【図６】同吸音構造体の断面図である。
【図７】同吸音構造体の断面図である
【図８】同吸音構造体の平面図である。
【図９】同吸音構造体の断面図である。
【図１０】同吸音構造体の他の構造の断面図である
【図１１】同吸音構造体の他の構造の断面図である。
【図１２】同吸音構造体の他の構造の平面図及び断面図である。
【図１３】同吸音構造体の他の構造の平面図及び断面図である。
【図１４】同吸音構造体の他の構造の平面図である。
【図１５】同吸音構造体の他の構造の断面図である。
【図１６】同吸音構造体の製造方法を示す模式図である。
【図１７】同吸音構造体の製造方法を示す模式図である。
【図１８】同吸音構造体の製造方法を示す模式図である。
【発明を実施するための形態】
【００３４】
以下、本技術に係る実施形態を、図面を参照しながら説明する。
【００３５】
［吸音構造体の構成］
図１は本実施形態に係る吸音構造体１００の一部の構成を示す平面図であり、図２はその断面図である。以下の図において、互いに直交する３方向をそれぞれＸ方向、Ｙ方向及びＺ方向とする。
【００３６】
これらの図に示すように吸音構造体１００は、糸状部１０１と弾性部１０２とを有する。
【００３７】
糸状部１０１は、複数であり、それぞれがＸ方向に延伸し、Ｙ方向に離間する糸状の構造とすることができる。糸状部１０１は、弾性部１０２によって互いに接続されており、吸音構造体１００に音波が入射すると、音波によって振動するように構成されている。
【００３８】
糸状部１０１の長さや径は特に限定されず、吸音対象とする音波の周波数に応じて決定することができる。例えば糸状部１０１の径は数μｍから数ｍｍ程度とすることができ、糸状部１０１の長さは数ｍｍから数ｃｍ程度とすることができる。隣接する糸状部１０１の間隔も特に限定されず、吸音対象とする音波の周波数に応じて決定することができる。
【００３９】
糸状部１０１は例えばＰＭＭＡ（Poly methyl methacrylate)等の合成樹脂からなるものとすることができる。また糸状部１０１は、合成樹脂からなるものに限られず、金属や繊維等の各種材料からなるものとすることもできる。吸音構造体１００は三次元プリンタによって作製することも可能であり、糸状部１０１は三次元プリンタで造形することが可能な材料、例えば光硬化性材料や熱可塑性材料、粉体材料からなるものとすることもできる。なお、それぞれの糸状部１０１は同一の材料からなるものであってもよく、異なる材料からなるものであってもよい。
【００４０】
弾性部１０２は、複数であり、糸状部１０１の間を架橋し、音波を受けて振動する糸状部１０１の振動を減衰させるように構成されている。弾性部１０２は、糸状部１０１の離間方向であるＹ方向において糸状部１０１を架橋するものとすることができる。
【００４１】
弾性部１０２は弾性を有し、弾性によって糸状部１０１の振動を減衰させるものとすることができる。弾性部１０２は、糸状部１０１が離間する方向において糸状部１０１を架橋するものとすることができ、図１に示すように糸状部１０１がＹ方向に離間している場合、Ｙ方向において糸状部１０１を架橋するものとすることができる。弾性部１０２は、図１及び図２に示すようにバネ状に屈曲した形状を有し、弾性変形を生じることにより、糸状部１０１の振動を減衰させるものとすることができる。また、弾性部１０２は必ずしも屈曲した形状を有するものでなくてもよい。
【００４２】
弾性部１０２は例えばＰＭＭＡ（Poly methyl methacrylate)等の合成樹脂からなるものとすることができる。また弾性部１０２は、合成樹脂からなるものに限られず、金属等の各種材料からなるものとすることもできる。吸音構造体１００は三次元プリンタによって作製することも可能であり、弾性部１０２は三次元プリンタで造形することが可能な材料、例えば光硬化性材料や熱可塑性材料、粉体材料からなるものとすることもできる。なお、それぞれの弾性部１０２は同一の材料からなるものであってもよく、異なる材料からなるものであってもよい。また、弾性部１０２の材料は糸状部１０１の材料と同一であってもよく、異なっていてもよい。
【００４３】
［吸音構造体の動作］
図３は、吸音構造体１００の動作を示す模式図である。同図に示すように吸音構造体１００に音波Ｐが入射すると、糸状部１０１は音波Ｐを受けて振動する。なお、糸状部１０１の振動方向は、図に示すものに限られず、糸状部１０１の延伸方向（Ｘ方向）に垂直な方向（Ｙ―Ｚ平面上のいずれかの方向）であってもよい。
【００４４】
糸状部１０１が音波Ｐを受けて振動すると、糸状部１０１を架橋する弾性部１０２が糸状部１０１の振動を減衰させる。音波Ｐは、糸状部１０１を振動させることによってエネルギーを失うが、糸状部１０１の振動は弾性部１０２によって減衰されるために、音波Ｐは糸状部１０１を振動させるためにエネルギーを継続的に失う。したがって、音波Ｐは減衰され、即ち吸音される。
【００４５】
［糸状部の共振周波数について］
上述のように、糸状部１０１は、吸音構造体１００に入射した音波によって振動する。このため、糸状部１０１と弾性部１０２の構成によって、糸状部１０１の共振周波数を調整することができる。
【００４６】
具体的には、糸状部１０１の密度によって糸状部１０１の共振周波数を調整することができる。図４は、糸状部１０１の断面図である。図４（ａ）に示すように、糸状部１０１内に空隙を設けることによって糸状部１０１の密度を調整することができる。空隙の径によって糸状部１０１の密度を調整してもよい。また、図４（ｂ）に示すように糸状部１０１を多孔質状とすることによっても糸状部１０１の密度を調整することができる。
【００４７】
図５は、矩形状の断面形状を有する各種の糸状部１０１の断面図である。図５（ａ）に示すように糸状部１０１は空隙を有しない矩形状であってもよく、図５（ｂ）に示すように矩形状の空隙を有していてもよい。また、糸状部１０１は図５（ｃ）に示すように円形状の空隙を有していてもよい。このように、糸状部１０１の断面形状によって糸状部１０１の密度を調整し、糸状部１０１の共振周波数を調整することができる。
【００４８】
一つの吸音構造体１００において、糸状部の密度を異なるものとしてもよい。図６は、密度が異なる糸状部１０１を有する吸音構造体１００の断面図である。同図に示すように、糸状部１０１は、所定の密度を有する第１の糸状部１０１ａと、第１の糸状部１０１ａより小さい密度を有する第２の糸状部１０１ｂを有する。この場合、第１の糸状部１０１ａの共振周波数と、第２の糸状部１０１ｂの共振周波数が異なり、吸音構造体１００はそれぞれの周波数の音波を吸音することが可能である。なお、糸状部１０１はより多種の密度を有するものであってもよい。
【００４９】
また、糸状部１０１の径によって糸状部１０１の共振周波数を調整してもよい。図７は、径が異なる糸状部１０１を有する吸音構造体１００の断面図である。同図に示すように、糸状部１０１は、所定の径を有する第１の糸状部１０１ａと、第１の糸状部１０１ａより大きい径を有する第２の糸状部１０１ｂを有する。この場合、第１の糸状部１０１ａの共振周波数と、第２の糸状部１０１ｂの共振周波数が異なり、吸音構造体１００はそれぞれの周波数の音波を吸音することが可能である。なお、糸状部１０１はより多種の径を有するものであってもよい。
【００５０】
また、糸状部１０１の長さによって糸状部１０１の共振周波数を調整してもよい。図８は、長さが異なる糸状部１０１を有する吸音構造体１００の平面図である。同図に示すように、糸状部１０１は、所定の長さを有する第１の糸状部１０１ａと、第１の糸状部１０１ａより長さが短い第２の糸状部１０１ｂを有する。この場合、第１の糸状部１０１ａの共振周波数と、第２の糸状部１０１ｂの共振周波数が異なり、吸音構造体１００はそれぞれの周波数の音波を吸音することが可能である。なお、糸状部１０１はより多種の長さを有するものであってもよい。
【００５１】
また、糸状部１０１の構成材料によって糸状部１０１の共振周波数を調整することができる。糸状部１０１の構成材料によって糸状部１０１の弾性や強度が異なり、共振周波数に影響するためである。
【００５２】
また、糸状部１０１の間隔によって糸状部１０１の共振周波数を調整することができる。糸状部１０１の間隔によって弾性部１０２の長さが異なり、弾性部１０２の弾性力が異なるためである。また、弾性部１０２の構成材料や形状によって弾性部１０２の弾性力を異なるものとしてもよい。図９は、弾性部１０２の各種形状の例である。弾性部１０２は、図９（ａ）に示すように曲線状であってもよく、図９（ｂ）に示すように直線状であってもよい。弾性部１０２の間隔（架橋間隔）によっても糸状部１０１の共振周波数を調整することができる。
【００５３】
このように、糸状部１０１と弾性部１０２の構成によって、糸状部１０１の共振周波数を調整することができる。このため、吸音構造体１００が吸音可能な周波数を特定の周波数に限定し、特定の周波数の音波のみを特異的に吸音する吸音構造体とすることができる。また、吸音構造体１００が吸音可能な周波数を多様な周波数とし、多様な周波数の音波を吸音する吸音構造体とすることも可能である。
【００５４】
［吸音構造体の各種構造］
本発明に係る吸音構造体１００の構造は、図１及び図２に示す構造に限られない。吸音構造体１００がとり得る各種構造について説明する。図１０乃至図１５は各種構造の吸音構造体１００を示す模式図である。
【００５５】
図１０は別の構造の吸音構造体１００の断面図である。同図に示すように、糸状部１０１は、Ｘ方向に延伸し、Ｙ方向のみならずＺ方向に離間していてもよい。弾性部１０２は、Ｙ方向のみならずＺ方向においても糸状部１０１を架橋しているものとすることができる。この吸音構造体１００は、Ｚ方向において多くの糸状部１０１が配置されるため、Ｚ方向から吸音構造体１００に入射する音波に対して高い吸音性を有する。
【００５６】
図１１（ａ）は別の構造の吸音構造体１００の平面図であり、図１１（ｂ）はその断面図である。同図に示すように、糸状部１０１は、Ｘ方向に延伸する第１の糸状部１０１ａと、Ｙ方向に延伸する第２の糸状部１０１ｂを含んでいてもよい。第１の糸状部１０１ａと第２の糸状部１０１ｂは、Ｚ方向に離間していてもよく、Ｚ方向おいて接触していてもよい。弾性部１０２は、第１の糸状部１０１ａ間と第２の糸状部１０１ｂ間のみならず、第１の糸状部１０１ａと第２の糸状部１０１ｂの間を架橋しているものとすることができる。この構造では、第１の糸状部１０１ａと第２の糸状部１０１ｂの振幅方向が異なるため、弾性部１０２による振動の減衰がより大きくなり、吸音性を向上させることができる。
【００５７】
図１２（ａ）は別の構造の吸音構造体１００の平面図であり、図１２（ｂ）はその断面図である。同図に示すように、糸状部１０１は、Ｘ方向に延伸する第１の糸状部１０１ａと、Ｙ方向に延伸する第２の糸状部１０１ｂを含み、第１の糸状部１０１ａと第２の糸状部１０１ｂは編み込まれていてもよい。弾性部１０２は、第１の糸状部１０１ａ間と第２の糸状部１０１ｂ間のみならず、第１の糸状部１０１ａと第２の糸状部１０１ｂの間を架橋しているものとすることができる。この構造では、第１の糸状部１０１ａと第２の糸状部１０１ｂが編み込まれていることにより、第１の糸状部１０１ａと第２の糸状部１０１ｂの振動を妨げることなく、吸音構造体１００の強度を向上させることができる。
【００５８】
また、図１３は別の構造の吸音構造体１００の平面図である。同図に示すように、糸状部１０１は、それぞれが三次元的にランダムな方向に延伸していてもよい。弾性部１０２は、ランダムな方向に延伸する糸状部１０１の間を架橋しているものとすることができる。糸状部１０１がランダムな方向に延伸するため、多様な方向から吸音構造体１００に入射する音波に対して高い吸音性を有する。
【００５９】
また、図１４は別の構造の吸音構造体１００の平面図である。同図に示すように、糸状部１０１は、分岐構造を有していてもよい。弾性部１０２は隣接する糸状部１０１の間を架橋するのみならず、分岐した糸状部１０１の間を架橋しているものとすることができる。また、糸状部１０１は例えば網状であってもよい。
【００６０】
また、図１５は別の構造の吸音構造体１００の断面図である。同図に示すように、糸状部１０１は、層を構成していてもよい。同図において、糸状部１０１からなる第１の糸状部層１０１ｃと、第２の糸状部層１０１ｄを示す。第１の糸状部層１０１ｃと第２の糸状部層１０１ｄはＺ方向において離間しているものとすることができる。弾性部１０２は、第１の糸状部層１０１ｃと第２の糸状部層１０２ｄの間で各層の糸状部１０１を架橋するものとすることができる。
【００６１】
［吸音構造体の製造方法］
吸音構造体１００の製造方法は特に限定されないが、例えば三次元プリンタを利用して製造することが可能である。図１６乃至図１８は、三次元プリンタによる吸音構造体１００の製造方法を示す模式図である。吸音構造体１００は、図１６に示すようにＸ方向に沿って層Ｌ毎に光造形材料を積層しながら製造することが可能である。各層Ｌには糸状部１０１と弾性部１０２が含まれるが、糸状部１０１と弾性部１０２は同一の光造形材料からなるものとすることができる。また、インクジェット方式の三次元プリンタを利用することにより、糸状部１０１と弾性部１０２を異種の光造形材料からなるものとすることもできる。
【００６２】
また、吸音構造体１００は、図１７に示すように、Ｙ方向に沿って層Ｌ毎に光造形材料を積層しながら製造することも可能である。同図に示すように、糸状部１０１がＸ方向に延伸し、Ｙ方向に離間する場合、糸状部１０１と弾性部１０２を異種の光造形材料からなるものとすることもできる。
【００６３】
また、吸音構造体１００は、図１８に示すようにＺ方向に沿って層Ｌ毎に光造形材料を積層しながら製造することも可能である。同図に示すように、糸状部１０１が層状に形成され、その層間に弾性部１０２が形成される構造（図１５参照）とすることにより、糸状部１０１と弾性部１０２を異種の光造形材料からなるものとすることもできる。この場合、糸状部１０１は、その層内においては、多様な方向に延伸するものとすることができる。
【００６４】
［吸音構造体の用途］
吸音構造体１００は各種用途に利用することが可能である。例えば、吸音構造体１００は建築物の吸音材あるいは遮音材として利用することができる。具体的には吸音構造体１００からなる、あるいは吸音構造体１００を一部構造として含むカーテンや窓、壁、ドア等を建築物に設けることが可能である。これにより、建物内を建物外の雑音から遮音し、あるいはホームシアター等からの音漏れを防止することが可能となる。
【００６５】
また、吸音構造体１００をスピーカーボックスの壁面に配置することにより、スピーカーボックス内での不要な音波の反射を防止し、スピーカーの音質を向上させ、あるいは音漏れを防止することが可能となる。さらに、吸音構造体１００を自動車等の遮音材として利用することにより、エンジン音の車室への到達を防止し、エンジン音を遮音することが可能となる。この他にも吸音構造体１００は、吸音材あるいは遮音材としてあらゆる用途に利用することが可能である。
【００６６】
なお、本技術は以下のような構成もとることができる。
【００６７】
（１）
互いに離間する複数の糸状部であって、音波を受けて振動する複数の糸状部と、
弾性を有し、上記複数の糸状部を架橋し、上記複数の糸状部の振動を減衰する複数の弾性部と
を具備する吸音構造体。
【００６８】
（２）
上記（１）に記載の吸音構造体であって、
上記複数の糸状部は、それぞれが第１の方向に延伸し、上記第１の方向に直交する第２の方向に離間し、
上記複数の弾性部は、上記第２の方向において上記糸状部を架橋する
吸音構造体。
【００６９】
（３）
上記（１）又は（２）に記載の吸音構造体であって、
上記複数の糸状部は、上記第２の方向に加え、上記第１の方向及び上記第２の方向に離間する第３の方向に離間し、
上記複数の弾性部は、上記第２の方向及び上記第３の方向において上記糸状部を架橋する
吸音構造体。
【００７０】
（４）
上記（１）から（３）のいずれか一つに記載の吸音構造体であって、
上記複数の糸状部は、第１の方向に延伸する複数の第１の糸状部と、上記第１の方向に直交する第２の方向に延伸する複数の第２の糸状部とを含み、
上記複数の弾性部は、上記第１の糸状部と上記第２の糸状部を架橋する
吸音構造体。
【００７１】
（５）
上記（１）から（４）のいずれか一つに記載の吸音構造体であって、
上記第１の糸状部と、上記第２の糸状部は編み込まれている
吸音構造体。
【００７２】
（６）
上記（１）から（５）のいずれか一つに記載の吸音構造体であって、
請求項１に記載の吸音構造体であって、
上記複数の糸状部は、互いに異なる方向に延伸し、
上記複数の弾性部は、互いに異なる方向に延伸する上記複数の糸状部を架橋する
吸音構造体。
【００７３】
（７）
上記（１）から（６）のいずれか一つに記載の吸音構造体であって、
上記複数の糸状部は、第１の層と、上記第１の層と離間した第２の層を構成し、
上記複数の弾性部は、上記第１の層と上記第２の層の間で上記糸状部を架橋し、
上記複数の糸状部と上記複数の弾性部は、異なる材料からなる
吸音構造体。
【００７４】
（８）
上記（１）から（７）のいずれか一つに記載の吸音構造体であって、
上記複数の糸状部は、それぞれが同一の共振周波数を有する
吸音構造体。
【００７５】
（９）
上記（１）から（８）のいずれか一つに記載の吸音構造体であって、
上記複数の糸状部は、第１の共振周波数を有する第１の糸状部と、上記第１の共振周波数とは異なる第２の共振周波数を有する第２の糸状部とを含む
吸音構造体。
【００７６】
（１０）
上記（１）から（９）のいずれか一つに記載の吸音構造体であって、
上記第１の糸状部と上記第２の糸状部は、密度が異なる
吸音構造体。
【００７７】
（１１）
上記（１）から（１０）のいずれか一つに記載の吸音構造体であって、
上記第１の糸状部と上記第２の糸状部は、長さが異なる
吸音構造体。
【００７８】
（１２）
上記（１）から（１１）のいずれか一つに記載の吸音構造体であって、
上記第１の糸状部と上記第２の糸状部は、径が異なる
吸音構造体。
【００７９】
（１３）
互いに離間する複数の糸状部であって、振動可能な複数の糸状部と、
上記複数の糸状部を架橋し、上記複数の糸状部の振動を減衰する複数の弾性部と
を具備する吸音構造体。
【符号の説明】
【００８０】
１００…吸音構造体
１０１…糸状部
１０２…弾性部
【図１】
2015215428.tif 000003
【図２】
2015215428.tif 000004
【図３】
2015215428.tif 000005
【図４】
2015215428.tif 000006
【図５】
2015215428.tif 000007
【図６】
2015215428.tif 000008
【図７】
2015215428.tif 000009
【図８】
2015215428.tif 000010
【図９】
2015215428.tif 000011
【図１０】
2015215428.tif 000012
【図１１】
2015215428.tif 000013
【図１２】
2015215428.tif 000014
【図１３】
2015215428.tif 000015
【図１４】
2015215428.tif 000016
【図１５】
2015215428.tif 000017
【図１６】
2015215428.tif 000018
【図１７】
2015215428.tif 000019
【図１８】
2015215428.tif 000020